(57)【要約】【課題】  防水電気かみそり器の防水機能を損なうことなく、内蔵した発音手段の音声を十分に聞き取り可能とする。【解決手段】  防水式電気かみそり器のハンドル部１の主ケース11に放音孔８を開設し、気体の通過は許すが、液体の通過は遮断する防水フィルター９で該孔を塞ぎ、主ケース11内に、充電の催促等の注意喚起を声表示するための発音手段７を配備して、該発音手段７からの音声を前記放音孔８を通じて外部に放音させる。【選択図】  図５
2006334181.tif 000002
【特許請求の範囲】
【請求項１】
防水式電気かみそり器のハンドル部(１)の主ケース(11)に放音孔(８)を開設し、気体の通過は許すが、液体の通過は遮断する防水フィルター(９)で該放音孔を塞ぎ、主ケース(11)内に、充電の催促等の注意喚起、バッテリー(６)の残容量、使用モード等の表示を音声表示するためのブザー等の発音手段(７)を配備して、発音手段(７)からの音声を前記放音孔(８)を通じて外部に放音させる防水式電気かみそり器。
【請求項２】
放音孔(８)に対向して発音手段(７)が配備されている請求項１に記載の防水式電気かみそり器。
【請求項３】
電気かみそり器のスイッチは(13)(14)は可撓性の防水パッキン(２)上に設けられており、防水パッキン(２)の内側部分は放音孔(８)を通じて外部に連通している請求項１又は２に記載の防水式電気かみそり器。
【発明の詳細な説明】
【技術分野】
【０００１】
本発明は、充電の催促、バッテリーの残容量、使用モード等を音声表示するための発音手段を内蔵した防水式電気かみそり器に関するものである。
【背景技術】
【０００２】
充電式電気かみそり器のバッテリーの残容量を音声表示するアイデアが特許文献１に記載されている。
ところが、防水式電気かみそり器では、内部に水の侵入を防止するために、部材どうしの嵌合部にはシール材が介装され、ネジ部もパッキンが介装されて密閉構造となっているため、音声表示のための発音手段を単に電気かみそり器に内蔵しても、内部に音が籠もって、使用者が十分に聞き取ることはできない。
【０００３】
【特許文献１】特開２００２−３１１１１４号公報(段落番号「００８１」の７行乃至１０行)
【発明の開示】
【発明が解決しようとする課題】
【０００４】
本発明は、防水電気かみそり器の防水機能を損なうことなく、内蔵した発音手段の音声を十分に聞き取り可能とすることを課題とする。
【課題を解決するための手段】
【０００５】
請求項１の防水式電気かみそり器は、ハンドル部(１)の主ケース(11)に放音孔(８)を開設し、気体の通過は許すが液体の通過は遮断する防水フィルター(９)で該放音孔(８)を塞ぎ、主ケース(11)内に、充電の催促等の注意喚起、バッテリー(６)の残容量、使用モード等の表示を音声表示するためのブザー等の発音手段(７)を配備して、発音手段(７)からの音声を前記放音孔(８)を通じて外部に放音させる。
【０００６】
請求項２は、請求項１の防水式電気かみそり器において、放音孔(８)に対向して発音手段(７)が配備されている。
【０００７】
請求項３は、請求項１又は２の防水式電気かみそり器において、スイッチは(13)(14)は可撓性の防水パッキン(２)上に設けられており、防水パッキン(２)の内側部分は放音孔(８)を通じて外部に連通している。
【発明の効果】
【０００８】
請求項１の防水式電気かみそり器では、発音手段(７)から発せられた音声は、放音孔(８)から外部に漏れ出るから、使用者は鮮明に聞き取りできる。
放音孔(８)は防水フィルター(９)で塞がれているから、電気かみそり器を水洗いする際に、放音孔(８)から電気かみそり器内部に水が侵入することはなく、即ち、防水性を損なうことはない。
防水フィルター(９)は気体は通すため、即ち、音声の波の通過は妨げないので、電気かみそり器外部への放音に支障はない。
【０００９】
請求項２の防水式電気かみそり器では、放音孔(８)に対向して発音手段(７)が配備されているから、発音手段(７)から発せられた音声がダイレクトに放音孔(８)を通過するため、より鮮明な音声を聞き取ることができる。
【００１０】
防水式電気かみそり器のスイッチは、可撓性の防水パッキン(一般にケースに対して樹脂の２色成形によって形成された可撓性膜体であって、スイッチの押圧移動を許して防水機能も果たす)上に設けられており、気圧の関係(航空機による輸送、航空機内での使用等)で防水パッキンが膨らんでスイッチの機能が損なわれることがある。
請求項３の防水式電気かみそり器では、スイッチは(13)(14)を設けた防水パッキン(２)の内側部分は放音孔(８)を通じて外部に連通しているから、電気かみそり器の内部と外部に気圧差は生じず、防水パッキン(２)が膨れてスイッチ機能を損なう問題は生じない。
防水パッキン(２)の内側と外部と連通するための孔を別個に設ける必要はなく、又、別個に設けた孔を防水フィルター(９)で塞ぐ手間も掛からない。
【発明を実施するための最良の形態】
【００１１】
図１、図２に示す如く、防水式電気かみそり器は、ハンドル部(１)と該ハンドル部(１)の先端に突設したヘッド部(３)とからなる。
図４、図５に示す如く、ハンドル部(１)は、縦長主ケース(11)内にモータ(16)、充電式バッテリー(６)(図示せず)及び配線基盤(15)を内蔵し、該主ケース(11)の前面に電源スイッチ(13)及び、低速運転と高速運転を切り換えるモード切換えスイッチ(14)、背面に際剃り用スライダー(17)を具えている。
主ケースの下端に、バッテリー(６)の充電ソケットを兼用する蓋ケース(12)が取り付けられている。
ハンドル部(１)は、内部への水の侵入を防止する密閉構造である。
【００１２】
主ケース(11)は、ＡＢＳ樹脂等、機械的強度の大きな樹脂にて形成されており、図３、図５に示す如く、背面にはカバー(18)、前面のスイッチ取付け部には防水パッキン(２)が、夫々樹脂の２色成形或いはインサート成形によって主ケース(11)と一体に形成されている。
カバー(18)及び防水パッキン(２)は、エラストマー或いはシリコン樹脂で形成され、カバー(18)は、使用者の掌との馴染みの良さと滑り難さを実現し、防水パッキン(２)はその弾性によってスイッチ(13)(14)の押圧移動を許す。
スイッチ(13)(14)の押圧片(13a)(14a)は、その軸部(13b)(14b)を防水パッキン(２)上の筒軸(21)(21)に嵌めて取り付けられる。
尚、図３において、ハンドル部(１)の前面には、スイッチ(13)(14)の押圧片(13a)(14a)のみを露出させる装飾カバー体(図示せず)が被せられる。
【００１３】
図３に示す如く、ハンドル部(１)の上端から、後記する２つの内刃(33)(33)を横方向に往復移動させるための移動軸(36)(36)が突出しており、該移動軸は往復駆動機構(35)を介して前記モータ(16)に連繋されている。
【００１４】
ヘッド部(３)は、ハンドル部(１)の上端に着脱可能に取り付けられ上面及び下面が開口した略矩形の周壁状へッド部ケース(31)と、該へッド部ケースの上面開口から臨出して該ケースに取外し可能に配備された２つの外刃(32)(32)と際剃り刃(34)、及び前記移動軸(36)(36)に着脱可能に取り付けられ外刃(32)(32)の内側にて外刃と摺接スライドする内刃(33)(33)とによって構成される。
外刃(32)(32)と内刃(33)(33)は共に、多数の孔を開設した金属薄板を倒立Ｕ字状に湾曲させてホルダーに支持せしめたものである。
【００１５】
ヘッド部(３)には、外刃(32)(32)と内刃(33)(33)を保護するためのキャップ(４)が着脱可能に取り付けられる。
【００１６】
図４、図５に示す如く、ハンドル部(１)の主ケース(11)の上部にモータ(16)が収容され、該モータの下方にバッテリー収容部(５)が設けられている。
バッテリー収容部(５)には、ニッケルカドニカ電池、ニッケル水素電池等のバッテリー(６)が収容されている。
バッテリー収容部(５)と主ケース(11)の背面側内面との間に、発音手段(７)が発音部を後方に向けて配備されている。
実施例の発音手段(７)はブザー(71)であって、充電を催促する合図をブザー音で表示する。
【００１７】
図６に示す如く、主ケース(11)の背面側の壁(11a)に、前記発音手段(７)に対向して放音孔(８)が開設されている。
実施例の放音孔(８)は１個であるが、複数の小孔の集合体でもよい。
放音孔(８)は、主ケース(11)の外表面から凹んだ部分に開設されており、該凹み部(10)に防水フィルター(９)を放音孔(８)を塞ぐ様にして嵌め込み、更に押え蓋(91)を緊密に嵌合して防水フィター(９)を固定している。
防水フィルター(９)は、気体の通過は許すが、液体の通過は阻止する特性を有する。
押え蓋(91)には、放音孔(８)に対応する範囲内に１又は複数の孔(92)が開設されている。
前記バッテリー収容部(５)は、放音孔(８)及び押え蓋(91)の孔(92)を通じて外部に連通している。
【００１８】
然して、ブザー(71)から発せられたブザー音は、放音孔(８)及び押え蓋(91)の孔(92)を通じて外部に漏れ出るから、使用者は鮮明に聞き取りでき、充電の催促を知ることができる。
放音孔(８)は防水フィルター(９)で塞がれているから、電気かみそり器を水洗いする際に、放音孔(８)から電気かみそり器内部に水が侵入することはなく、即ち、防水性を損なうことはない。
防水フィルター(９)は気体は通すため、即ち、音声の波の通過は妨げないので、かみそり器外部への放音に支障はない。
放音孔(８)に対向してブザー(71)が配備されているから、発音手段(７)から発せられた音声がダイレクトに放音孔(８)を通過するため、より鮮明にブザー音を聞き取ることができる。
【００１９】
スイッチは(13)(14)を設けた防水パッキン(２)の内側部分は放音孔(８)を通じて外部に連通しているから、電気かみそり器の内部と外部に気圧差は生じず、航空機内等で防水パッキン(２)が膨れてスイッチ機能を損なう問題は生じない。
防水パッキン(２)の内側と外部と連通するための孔を別個に設ける必要はなく、又、別個に設けた孔を防水フィルター(９)で塞ぐ手間も掛からない。
【００２０】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００２１】
例えば、発音手段(７)として、電子音で人間の喋りに似せた音声を発する電子音声発生器を用い、バッテリー(６)の残容量、運転モードの表示等を音声で行うことも可能である。
【図面の簡単な説明】
【００２２】
【図１】電気かみそり器の背面図である。
【図２】電気かみそり器の側面図である。
【図３】ハンドル部(１)の斜面図である。
【図４】図２Ｙ−Ｙ線に沿う断面図である。
【図５】図１Ｘ−Ｘ線に沿う断面図である。
【図６】図５のＡ部拡大図である。
【符号の説明】
【００２３】
１  ハンドル部
11  主ケース
３  ヘッド部
５  バッテリー収容部
６  バッテリー
７  発音手段
71  ブザー
８  放音孔
９  防水フィルター
【図１】
2006334181.tif 000003
【図２】
2006334181.tif 000004
【図３】
2006334181.tif 000005
【図４】
2006334181.tif 000006
【図５】
2006334181.tif 000007
【図６】
2006334181.tif 000008